(57)【要約】【課題】適切に優先スペースを利用することができるＩＣカード、駐車制御システム、駐車制御装置、及び、駐車制御方法を提供する。【解決手段】実施形態によれば、ＩＣカードは、通信部と、第１記憶部と、第２記憶部と、受信処理部と、送信処理部と、を備える。通信部は、駐車制御装置とデータを送受信する。第１記憶部は、優先スペースを利用することができることを示す優先情報を格納する。第２記憶部は、前記優先情報の有効期限を示す有効期限情報を格納する。受信処理部は、前記通信部を通じて、前記駐車制御装置から前記優先情報及び前記有効期限情報を取得する取得命令を受信する。送信処理部は、前記受信処理部が受信した前記取得命令に基づいて、前記通信部を通じて、前記第１記憶部が格納する前記優先情報と、前記第２記憶部が格納する前記有効期限情報と、を前記駐車制御装置へ送信する。【選択図】図５
2015166987.tif 000002
【特許請求の範囲】
【請求項１】
駐車制御装置とデータを送受信する通信部と、
優先スペースを利用することができることを示す優先情報を格納する第１記憶部と、
前記優先情報の有効期限を示す有効期限情報を格納する第２記憶部と、
前記通信部を通じて、前記駐車制御装置から前記優先情報及び前記有効期限情報を取得する取得命令を受信する受信処理部と、
前記受信処理部が受信した前記取得命令に基づいて、前記通信部を通じて、前記第１記憶部が格納する前記優先情報と、前記第２記憶部が格納する前記有効期限情報と、を前記駐車制御装置へ送信する送信処理部と、
を備えるＩＣカード。
【請求項２】
前記優先情報は、ユーザが一時的な障害を負ったこと、ユーザが妊娠していること、又は、ユーザが幼児を養育していることのいずれかを示す情報である、
前記請求項１に記載のＩＣカード。
【請求項３】
駐車制御装置とデータを送受信する通信部と、
優先スペースを利用することができることを示す優先情報を格納する第１記憶部と、
前記優先情報の有効期限を示す有効期限情報を格納する第２記憶部と、
前記通信部を通じて、前記駐車制御装置から前記優先情報及び前記有効期限情報を取得する取得命令を受信する受信処理部と、
前記受信処理部が受信した前記取得命令に基づいて、前記通信部を通じて、前記第１記憶部が格納する前記優先情報と、前記第２記憶部が格納する前記有効期限情報と、を前記駐車制御装置へ送信する送信処理部と、
を有するモジュールと、
前記モジュールを有する本体と、
を備えるＩＣカード。
【請求項４】
駐車制御装置とデータを送受信する通信部と、
優先スペースを利用することができることを示す優先情報を格納する第１記憶部と、
前記優先情報の有効期限を示す有効期限情報を格納する第２記憶部と、
前記通信部を通じて、前記駐車制御装置から前記優先情報及び前記有効期限情報を取得する取得命令を受信する受信処理部と、
前記受信処理部が受信した前記取得命令に基づいて、前記通信部を通じて、前記第１記憶部が格納する前記優先情報と、前記第２記憶部が格納する前記有効期限情報と、を前記駐車制御装置へ送信する送信処理部と、
を備える携帯可能電子装置。
【請求項５】
ＩＣカードとデータを送受信する通信部と、
前記通信部を通じて、前記ＩＣカードへ、優先スペースを利用することができることを示す優先情報と、前記優先情報の有効期限を示す有効期限情報と、を取得する取得命令を送信する送信処理部と、
前記通信部を通じて、前記ＩＣカードから、前記優先情報及び前記有効期限情報を受信する受信処理部と、
前記受信処理部が受信した前記優先情報及び前記有効期限情報に基づいて、前記ＩＣカードのユーザが前記優先スペースを利用できるかを判定する判定部と、
前記判定部の判定に基づいて、前記優先スペースに対する進入を防止する進入防止手段を制御する制御信号を送信する信号送信部と、
を備える駐車制御装置。
【請求項６】
前記優先情報は、ユーザが一時的な障害を負ったこと、ユーザが妊娠していること、又は、ユーザが幼児を養育していることのいずれかを示す情報である、
前記請求項５に記載の駐車制御装置。
【請求項７】
さらに、
前記信号送信部が送信した前記制御信号に基づいて、前記進入防止手段を駆動させるアクチュエータを備える、
前記請求項５又は６に記載の駐車制御装置。
【請求項８】
ＩＣカードと駐車制御装置を備える駐車制御システムであって、
前記ＩＣカードは、
前記駐車制御装置とデータを送受信する第１通信部と、
優先スペースを利用することができることを示す優先情報を格納する第１記憶部と、
前記優先情報の有効期限を示す有効期限情報を格納する第２記憶部と、
前記第１通信部を通じて、前記駐車制御装置から前記優先情報及び前記有効期限情報を取得する取得命令を受信する第１受信処理部と、
前記第１受信処理部が受信した前記取得命令に基づいて、前記第１通信部を通じて、前記第１記憶部が格納する前記優先情報と、前記第２記憶部が格納する前記有効期限情報と、を前記駐車制御装置へ送信する第１送信処理部と、
を備え、
前記駐車制御装置は、
前記ＩＣカードとデータを送受信する第２通信部と、
前記第２通信部を通じて、前記ＩＣカードへ、前記優先情報と、前記有効期限情報と、を取得する前記取得命令を送信する第２送信処理部と、
前記第２通信部を通じて、前記ＩＣカードから、前記優先情報及び前記有効期限情報を受信する第２受信処理部と、
前記第２受信処理部が受信した前記優先情報及び前記有効期限情報に基づいて、前記ＩＣカードのユーザが前記優先スペースを利用できるかを判定する判定部と、
前記判定部の判定に基づいて、前記優先スペースに対する進入を防止する進入防止手段を制御する制御信号を送信する信号送信部と、
を備える、
駐車制御システム。
【請求項９】
ＩＣカードへ、優先スペースを利用することができることを示す優先情報と、前記優先情報の有効期限を示す有効期限情報と、を取得する取得命令を送信し、
前記ＩＣカードから、前記優先情報及び前記有効期限情報を受信し、
受信された前記優先情報及び前記有効期限情報に基づいて、前記ＩＣカードのユーザが前記優先スペースを利用できるかを判定し、
前記判定の結果に基づいて、前記優先スペースに対する進入を防止する進入防止手段を制御する制御信号を送信する、
駐車制御方法。
【発明の詳細な説明】
【技術分野】
【０００１】
本発明の実施形態は、ＩＣカード、駐車制御装置、駐車制御システム、及び、駐車制御方法に関する。
【背景技術】
【０００２】
駐車場には、車椅子を利用する者などのために優先スペースを設けるものがある。誘導員がいない駐車場では、優先スペースには、健常者が利用する車両が駐車されてしまうことがある。そのため、従来、優先スペースが有効に利用されないという課題がある。
【先行技術文献】
【特許文献】
【０００３】
【特許文献１】特許第５１２７９７１号
【発明の概要】
【発明が解決しようとする課題】
【０００４】
上記の課題を解決するための、適切に優先スペースを利用することができるＩＣカード、駐車制御システム、駐車制御装置、及び、駐車制御方法を提供する。
【課題を解決するための手段】
【０００５】
実施形態によれば、ＩＣカードは、通信部と、第１記憶部と、第２記憶部と、受信処理部と、送信処理部と、を備える。通信部は、駐車制御装置とデータを送受信する。第１記憶部は、優先スペースを利用することができることを示す優先情報を格納する。第２記憶部は、前記優先情報の有効期限を示す有効期限情報を格納する。受信処理部は、前記通信部を通じて、前記駐車制御装置から前記優先情報及び前記有効期限情報を取得する取得命令を受信する。送信処理部は、前記受信処理部が受信した前記取得命令に基づいて、前記通信部を通じて、前記第１記憶部が格納する前記優先情報と、前記第２記憶部が格納する前記有効期限情報と、を前記駐車制御装置へ送信する。
【図面の簡単な説明】
【０００６】
【図１】図１は、実施形態に係る駐車制御システムの構成例を示すブロック図である。
【図２】図２は、実施形態に係るＩＣカードの構成例を示すブロック図である。
【図３】図３は、実施形態に係るＩＣカードの不揮発性メモリの構成例を示す図である。
【図４】図４は、実施形態に係るＩＣカードのファイルシステムの構造例を示す図である。
【図５】図５は、実施形態に係る駐車制御システムの動作例を示すシーケンシャル図である。
【発明を実施するための形態】
【０００７】
以下、図面を参照しながら説明する。  
実施形態に係る駐車制御システムは、優先スペースに駐車する車両を制御する。駐車制御システムは、優先スペースを有する駐車場に設置される。駐車制御システムが設置される駐車場の施設は、たとえば、病院、飲食店、レジャー施設、又は、デパートなどである。駐車制御システムが設置される駐車場は、特定の施設の駐車場に限定されるものではない。
【０００８】
図１は、実施形態に係る駐車制御システム１の構成例を示すブロック図である。  
図１が示すように、駐車制御システム１は、駐車制御装置２、及び、ＩＣカード３などから構成される。  
駐車制御装置２は、駐車場において優先スペースに駐車する車両を制御する。駐車制御装置２は、車両の進入を防止する進入防止板（進入防止手段）を制御することで、優先スペースに駐車する車両を制御する。駐車制御装置２は、進入制御板を立ち上げるアクチュエータ６を制御し、進入防止板の姿勢を制御する。
【０００９】
進入防止板は、優先スペース内に設置される。  
進入防止板は、立ち上がった状態において、車両の進入を防止する。進入防止板は、立ち上がることで車両のタイヤに引っかかり、車両の進入を防止することができる。また、進入防止板は、車両が駐車できないことを示すマーク又は文字などを備えてもよい。
【００１０】
進入防止板は、寝た状態において、車両の進入を可能にする。進入防止板は、寝ることで車両のタイヤに引っかからなくなり、車両の進入を可能にする。  
進入防止板は、金属などから形成されるフラップ板などであってもよい。
【００１１】
図１が示すように、駐車制御装置２は、ＩＣカード処理装置４、制御部５及びアクチュエータ６などから構成される。
【００１２】
ＩＣカード処理装置４（外部装置）は、基本的な構成として、ＣＰＵ１１、ＲＯＭ１２、ＲＡＭ１３、不揮発性メモリ１４、通信インターフェース１５、カードリーダライタ１６、及び表示部１７などを有する。これらの各部は、データバスを介して互いに接続されている。なお、ＩＣカード処理装置４は、図１が示すような構成の他に、必要に応じた構成を具備したり特定の構成を除外したりしてもよい。
【００１３】
ＣＰＵ１１は、ＩＣカード処理装置４全体の動作を制御する機能を有する。ＣＰＵ１１は、内部キャッシュおよび各種のインターフェースなどを備えても良い。ＣＰＵ１１は、内部メモリ、ＲＯＭ１２あるいは不揮発性メモリ１４に予め記憶したプログラムを実行することにより種々の処理を実現する。
【００１４】
ＣＰＵ１１は、カードリーダライタ１６によりＩＣカード３へコマンドを送信する機能、ＩＣカード３から受信するレスポンスなどのデータを基に種々の処理を行う機能などを有する。たとえば、ＣＰＵ１１は、カードリーダライタ１６を介して、所定のデータを取得する読み取りコマンド（ＧＥＴ  ＤＡＴＡコマンド）をＩＣカード３に送信することにより、ＩＣカード３から当該データの読み取り処理を要求する制御を行う。
【００１５】
また、ＣＰＵ１１は、通信インターフェース１５を通じて、制御部５とデータを送受信することができる。たとえば、ＣＰＵ３１は、通信インターフェース１５を通じて、制御部５に、進入防止板を制御する制御信号を出力する。
【００１６】
なお、ＣＰＵ１１がプログラムを実行することにより実現する各種の機能のうちの一部は、ハードウエア回路により実現されるものであっても良い。この場合、ＣＰＵ１１は、ハードウエア回路により実行される機能を制御する。
【００１７】
ＲＯＭ１２は、予め制御用のプログラム及び制御データなどが記憶された不揮発性のメモリである。ＲＯＭ１２に記憶される制御プログラム及び制御データは、予めＩＣカード処理装置４の仕様に応じて組み込まれる。ＲＯＭ１２は、たとえば、ＩＣカード処理装置４の回路基板を制御するプログラム（例えば、ＢＩＯＳ）などを格納している。
【００１８】
ＲＡＭ１３は、揮発性のメモリである。ＲＡＭ１３は、ＣＰＵ１１の処理中のデータなどを一時的に格納する。ＲＡＭ１３は、ＣＰＵ１１からの命令に基づき種々のアプリケーションプログラムを格納している。また、ＲＡＭ１３は、アプリケーションプログラムの実行に必要なデータ及びアプリケーションプログラムの実行結果などを格納してもよい。
【００１９】
不揮発性メモリ１４は、データの書き込み及び書き換えが可能な不揮発性のメモリである。不揮発性メモリ１４は、例えば、ハードディスク、ＳＳＤ、ＥＥＰＲＯＭ又はフラッシュメモリなどにより構成される。不揮発性メモリ１４は、ＩＣカード処理装置４の運用用途に応じて制御プログラム、アプリケーション、及び種々のデータを格納する。
【００２０】
通信インターフェース１５は、制御部５とデータを送受信するためのインターフェースである。通信インターフェース１５は、有線又は無線で制御部５とデータを送受信する。たとえば、通信インターフェース１５は、有線又は無線でローカルネットワークに接続するためのインターフェースであってもよい。
【００２１】
カードリーダライタ１６は、ＩＣカード３との通信を行うためのインターフェース装置である。カードリーダライタ１６は、ＩＣカード３の通信方式に応じたインターフェースにより構成される。たとえば、ＩＣカード３が接触型のＩＣカードである場合、カードリーダライタ１６は、ＩＣカード３のコンタクト部と物理的かつ電気的に接続するための接触部などにより構成される。
【００２２】
また、ＩＣカード３が非接触型のＩＣカードである場合、カードリーダライタ１６は、ＩＣカード３との無線通信を行うためのアンテナおよび通信制御部などにより構成される。カードリーダライタ１６では、ＩＣカード３に対する電源供給、クロック供給、リセット制御、データの送受信が行われるようになっている。
【００２３】
このような機能によってカードリーダライタ１６は、ＣＰＵ１１による制御に基づいてＩＣカード３に対する電源供給、ＩＣカード３の活性化（起動）、クロック供給、リセット制御、種々のコマンドの送信、及び送信したコマンドに対する応答（レスポンス）の受信などを行なう。
【００２４】
表示部１７は、ＣＰＵ１１の制御により種々の情報を表示する表示装置である。表示部１７は、ＣＰＵ１１からの指示に基づいて、駐車可能であること又は駐車可能であることを表示してもよい。表示部１７は、たとえば、液晶モニタなどである。
【００２５】
なお、表示部１７は、制御部５に接続されてもよい。この場合、表示部１７は、制御部５の指示に基づいて、種々の情報を表示する。
【００２６】
制御部５は、ＩＣカード処理装置４が送信する制御信号に基づいて、アクチュエータ６の動作を制御する。即ち、ＩＣカード処理装置４は、制御部５を通じて、進入防止板の姿勢を制御する。
【００２７】
制御部５は、無線又は有線でアクチュエータ６に電気的に接続する。制御部５は、アクチュエータ６に、動作を制御する信号を送信する。  
また、制御部５は、ＩＣカード処理装置４とデータを送受信する。
【００２８】
アクチュエータ６は、制御部５からの指示に基づいて、優先スペースに設定される進入防止板の姿勢を制御する。即ち、アクチュエータ６は、ＣＰＵ１１からの制御信号に基づいて進入防止板を駆動させる。たとえば、アクチュエータ６は、制御部５からの指示に基づいて、進入防止板の姿勢を立ち上げる。また、アクチュエータ６は、制御部５からの指示に基づいて、進入防止板の姿勢を寝かせる。
【００２９】
アクチュエータ６は、電磁石で動力を得るものであってもよいし、油圧で動力を得るものであってもよい。アクチュエータ６の構成は、特定の構成に限定されるものではない。
【００３０】
なお、ＣＰＵ１１は、アクチュエータ６に、動作を制御する制御信号を直接送信してもよい。また、制御部５は、アクチュエータ６の一部として構成されてもよい。
【００３１】
次に、ＩＣカード３について説明する。  
ＩＣカード３（携帯可能電子装置）は、ＩＣカード処理装置４などの外部装置から電力などの供給を受けて活性化される（動作可能な状態になる）ようになっている。例えば、ＩＣカード３が接触型の通信によりＩＣカード処理装置４と接続される場合、つまり、ＩＣカード３が接触型のＩＣカードで構成される場合、ＩＣカード３は、通信インターフェースとしてのコンタクト部を介してＩＣカード処理装置４からの動作電源及び動作クロックの供給を受けて活性化される。
【００３２】
また、ＩＣカード３が非接触型の通信方式によりＩＣカード処理装置４と接続される場合、つまり、ＩＣカード３が非接触式のＩＣカードで構成される場合、ＩＣカード３は、通信インターフェースとしてのアンテナ及び変復調回路などを介してＩＣカード処理装置４からの電波を受信し、その電波から図示しない電源部により動作電源及び動作クロックを生成して活性化するようになっている。
【００３３】
次に、ＩＣカード３の構成例について説明する。  
図２は、第１実施形態に係るＩＣカード３の構成例を概略的に示すブロック図である。ＩＣカード３は、プラスチックなどで形成されたカード状の本体Ｃを有する。ＩＣカード３は、本体Ｃ内にモジュールＭが内蔵されている。モジュールＭは、１つまたは複数のＩＣチップＣａと通信用の外部インターフェース（通信インターフェース）とが接続された状態で一体的に形成され、ＩＣカード３の本体Ｃ内に埋設されている。また、ＩＣカード３のモジュールＭは、図２に示すように、ＣＰＵ２１、ＲＯＭ２２、ＲＡＭ２３、不揮発性メモリ２４及び通信部２５を備えている。これらの各部は、データバスを介して互いに接続されている。
【００３４】
ＣＰＵ２１は、ＩＣカード３全体の制御を司る制御部として機能する。ＣＰＵ２１は、ＲＯＭ２２あるいは不揮発性メモリ２４に記憶されている制御プログラム及び制御データなどに基づいて種々の処理を行う。たとえば、ＣＰＵ２１は、ＲＯＭ２２に記憶されているプログラムを実行することにより、ＩＣカード３の動作制御あるいはＩＣカード３の運用形態に応じた種々の処理を行う。なお、各種の機能のうちの一部は、ハードウエア回路により実現されるものであっても良い。この場合、ＣＰＵ２１は、ハードウエア回路により実行される機能を制御する。
【００３５】
ＲＯＭ２２は、予め制御用のプログラム及び制御データなどを記憶する不揮発性のメモリである。ＲＯＭ２２は、製造段階で制御プログラム及び制御データなどを記憶した状態でＩＣカード３に組み込まれる。即ち、ＲＯＭ２２に記憶される制御プログラム及び制御データは、予めＩＣカード３の仕様に応じて組み込まれる。
【００３６】
ＲＡＭ２３は、揮発性のメモリである。ＲＡＭ２３は、ＣＰＵ２１の処理中のデータなどを一時的に格納する。たとえば、ＲＡＭ２３は、受信用バッファ、送信用バッファ及び作業用バッファなどを備える。受信用バッファは、通信部２５を通じてＩＣカード処理装置４から送信されたコマンドを保持する。送信用バッファは、通信部２５を通じてＩＣカード処理装置４に送信するデータを保持する。作業用バッファは、ＣＰＵ２１が種々の計算をするため一時的な結果を保持する。
【００３７】
不揮発性メモリ２４は、例えば、ＥＥＰＲＯＭあるいはフラッシュＲＯＭなどのデータの書き込み及び書換えが可能な不揮発性のメモリにより構成される。不揮発性メモリ２４は、ＩＣカード３の運用用途に応じて制御プログラム、アプリケーション、及び種々のデータを格納する。例えば、不揮発性メモリ２４では、プログラムファイル及びデータファイルなどが作成される。作成された各ファイルは、制御プログラム及び種々のデータなどが書き込まれる。
【００３８】
不揮発性メモリ２４は、優先情報を格納する記憶領域２４ａ及び有効期限情報を格納する記憶領域２４ｂなどを有する。優先情報及び有効期限情報については、後述する。
【００３９】
通信部２５は、ＩＣカード処理装置４のカードリーダライタ１６との通信を行うためのインターフェースである。ＩＣカード３が接触型のＩＣカードとして実現される場合、通信部２５は、ＩＣカード処理装置４のカードリーダライタ１６と物理的かつ電気的に接触して信号の送受信を行うための通信制御部とコンタクト部とにより構成される。また、ＩＣカード３が非接触型のＩＣカードとして実現される場合、通信部２５は、ＩＣカード処理装置４のカードリーダライタ１６との無線通信を行うための変復調回路などの通信制御部とアンテナとにより構成される。
【００４０】
たとえば、ＩＣカード３は、マイナンバーカード、又は、国民番号カードなどであってもよい。ＩＣカード３の用途は、特定の構成に限定されるものではない。
【００４１】
ここでは、ＩＣカード３は、非接触型のＩＣカードであるものとする。
【００４２】
次に、優先情報について説明する。  
優先情報は、ＩＣカード３のユーザが優先スペースを利用することができるかを示す情報である。即ち、優先情報は、ＩＣカードのユーザが優先スペースに車両を駐車することができるかを示す。
【００４３】
優先情報は、予めＩＣカード３に格納されている。たとえば、優先情報は、役所又は病院などで更新されてもよい。
【００４４】
たとえば、ユーザは、役所又は病院などで優先スペースを利用することの許可を受ける。役所又は病院は、たとえば、ユーザが恒常的な障害を負ったこと、ユーザが一時的な障害を負ったこと、ユーザが妊娠していること、又は、ユーザが幼児を養育していることなどを認定し、優先スペースを利用することを許可する。
【００４５】
ユーザは、役所又は病院の係員などに、ＩＣカード３を手渡す。役所又は病院の係員は、優先情報を更新する更新端末にＩＣカード３をかざす。当該更新端末は、係員の指示に従って、記憶領域２４ａに、優先情報として、ユーザが優先スペースを利用することができることを示す情報を格納する。
【００４６】
即ち、記憶領域２４ａは、優先スペースを利用することができることを示す優先情報として、ユーザが恒常的な障害を負ったこと、ユーザが一時的な障害を負ったこと、ユーザが妊娠していること、又は、ユーザが幼児を養育していること示す情報を格納してもよい。
【００４７】
また、ユーザは、役所又は病院などで優先スペースを利用することの許可を取り消されることもある。
【００４８】
その場合、ユーザは、役所又は病院の係員などに、ＩＣカード３を手渡す。役所又は病院の係員は、優先情報を更新する更新端末にＩＣカード３をかざす。当該更新端末は、係員の指示に従って、記憶領域２４ａに、優先情報として、ユーザが優先スペースを利用することができないことを示す情報を格納する。
【００４９】
優先情報は、「０」又は「１」のフラグで示すようにしてもよい。たとえば、「０」は、ＩＣカード３のユーザが優先スペースを利用することができないことを示し、「１」は、ＩＣカード３のユーザが優先スペースを利用することができることを示すようにしてもよい。
【００５０】
また、記憶領域２４ａが優先情報を格納していない場合は、ＩＣカード３のユーザが優先スペースを利用することができないように決めてもよい。
【００５１】
次に、有効期限情報について説明する。  
有効期限情報は、優先情報の有効期限を示す。即ち、有効期限情報は、ユーザが優先スペースを利用することができる期間を示す。記憶領域２４ｂが優先情報としてユーザが優先スペースを利用することができることを示す情報を格納していても、ユーザは、有効期限内でなければ、優先スペースを利用することができない。
【００５２】
たとえば、有効期限情報は、記憶領域２４ａに、ユーザが優先スペースを利用することができることを示す優先情報が格納される際に、記憶領域２４ｂに格納されてもよい。
【００５３】
たとえば、役所又は病院などの係員は、ユーザが負った障害の程度、ユーザの妊娠期間、ユーザが養育する幼児の年齢などに基づいて、有効期限を決定する。役所又は病院などの係員は、更新端末などを用いて、記憶領域２４ｂに、決定された有効期限を示す有効期限情報を格納する。
【００５４】
また、有効期限情報は、優先情報が削除される際に、同時に削除される。
【００５５】
次に、ＩＣカード３の不揮発性メモリ２４のデータ構造について説明する。  
図３は、ＩＣカード３の不揮発性メモリ２４に格納されているデータの構成例を示す図である。  
図３に示すように、不揮発性メモリ２４は、システム領域及びユーザ領域などを有する。
【００５６】
システム領域は、ＩＣカード３の基本的な動作を実行するためのデータが格納されている。システム領域に格納されているデータは、ＩＣカード３の仕様に応じて設定される情報であり、たとえば、フェーズ情報、ＡＴＲ情報、及びファイル管理テーブルなどを含む情報である。フェーズ情報は、ＩＣカード３の製造・発行・運用・運用終了などのＩＣカード３のフェーズを示す。ＡＴＲ情報は、ＩＣカード３が活性化した後、外部に出力する初期応答を示す。ファイル管理テーブルは、ＥＦなどのデータ構造を示す。なお、システム領域に格納されるデータは、特定の構成に限定されるものではない。
【００５７】
ユーザ領域は、定義情報領域、及びデータ格納領域などから構成される。  
不揮発性メモリ２４内に格納されているファイルは、定義情報領域に記憶されるファイル定義情報と、ファイル定義情報で定義される、データ格納領域におけるデータエリアと、により構成される。たとえば、ＩＣカード３では、ＤＦ（フォルダ）およびＥＦ（データファイル）により階層構造でファイルを管理する。この場合、ＤＦは、定義情報領域に記憶されるＤＦ定義情報で定義される。ＥＦは、定義情報領域に記憶されるＥＦ定義情報と、そのＥＦ定義情報で定義される、データ格納領域におけるデータエリアと、により構成される。
【００５８】
次に、不揮発性メモリ２４に格納されるファイルについて説明する。  
図４は、不揮発性メモリ２４に格納されるファイルの構造例を示す図である。  
図４が示すように、不揮発性メモリ２４は、ＭＦ（Master File）１０１、ＤＦ(Dedicated File)１１１、及び、ＥＦ(Elementary File)１２１並びに１２２などからなる階層構造を有する複数のファイル群が定義される。
【００５９】
図４が示す例では、最上階層のＭＦ（マスターファイル）の下の階層には、ＤＦ１１１が存在する。たとえば、１つのＤＦは、ＩＣカード３が具備する１つのアプリケーションを実現するためのデータが格納される。ＩＣカードが複数のアプリケーションによって複数の機能を実現している場合は、不揮発性メモリ２４は、各アプリケーションに対応する複数のＤＦを格納しても良い。また、ＤＦの下の階層に、さらに他のＤＦが存在してもよい。
【００６０】
また、図４が示す例では、ＭＦ（マスターファイル）の下の階層に、ＤＦ１１１の下の階層に、ＥＦ１２１及びＥＦ１２２が存在している。ＥＦ１２１及びＥＦ１２２は、各種のデータを格納するためのデータファイルである。ＥＦ１２１及びＥＦ１２２には、所定のデータ構造のうち何れかのデータ構造でデータが格納される。たとえば、ＥＦ１２１及びＥＦ１２２は、識別子（タグ（Tag））、長さ情報（レングス(Length)）、および、データ部（バリュー（Value））が順に連結されるＴＬＶ構造のオブジェクトデータが格納されるファイルであっても良いし、バイナリーデータを記憶するファイルであっても良い。  
なお、不揮発性メモリ２４が格納するＤＦ及びＥＦは、特定の個数に限定されるものではない。また、不揮発性メモリ２４に格納されるファイルの階層構造は、特定の構造に限定されるものではない。
【００６１】
たとえば、ＥＦ１２１は、優先情報を格納する。また、ＥＦ１２２は、有効期限情報を格納する。
【００６２】
次に、駐車制御システム１の動作例について説明する。  
図５は、駐車制御システム１の動作例を説明するためのシーケンシャル図である。
【００６３】
ここでは、ＩＣカード３の不揮発性メモリ２４は、記憶領域２４ａに、優先情報として、ユーザが優先スペースを利用することができることを示す情報を格納しているものとする。また、ＩＣカード３の不揮発性メモリ２４は、記憶領域２４ｂに、有効期限情報として、未超過の有効期限を示す情報を格納しているものとする。また、進入防止板は、立った状態であるものとする。
【００６４】
まず、ＩＣカード３のユーザは、駐車制御システム１が設置されている優先スペースに車両を駐車しようとする。
【００６５】
しかしながら、駐車制御装置２が制御する進入防止板が立ち上がっているため、ユーザは、優先スペースに車両を駐車することができない。
【００６６】
ユーザは、駐車制御装置２が備えるＩＣカード処理装置４のカードリーダライタ１６に、ＩＣカード３をかざす。
【００６７】
ユーザがカードリーダライタ１６にＩＣカード３をかざすと、ＩＣカード処理装置４のＣＰＵ１１は、優先情報及び有効期限情報を格納するＤＦ（たとえば、ＤＦ１１１）を選択するＳＥＬＥＣＴコマンドを生成する。ＳＥＬＥＣＴコマンドを生成すると、ＣＰＵ１１は、カードリーダライタ１６を通じて、生成されたＳＥＬＥＣＴコマンドをＩＣカード３へ送信する。
【００６８】
なお、ＣＰＵ１１は、カードリーダライタ１６を通じて、ポーリング信号を送信することで、ＩＣカード３がかざされたことを検知してもよい。
【００６９】
ＣＰＵ１１がＩＣカード３にＳＥＬＥＣＴコマンドを送信すると、ＩＣカード３のＣＰＵ２１は、通信部２５を通じて、ＳＥＬＥＣＴコマンドを受信する。ＳＥＬＥＣＴコマンドを受信すると、ＣＰＵ２１は、ＳＥＬＥＣＴコマンドが指定するＤＦ（たとえば、ＤＦ１１１）を選択状態にする。ＤＦを選択状態にすると、ＣＰＵ２１は、ＳＥＬＥＣＴコマンドの実行に成功したことを示すレスポンスを生成する。レスポンスを生成すると、ＣＰＵ２１は、通信部２５を通じて、生成されたレスポンスをＩＣカード処理装置４に送信する。
【００７０】
ＣＰＵ２１がレスポンスをＩＣカード処理装置４へ送信すると、ＩＣカード処理装置４のＣＰＵ１１は、カードリーダライタ１６を通じて、当該レスポンスを受信する。当該レスポンスを受信すると、ＣＰＵ１１は、優先情報と有効期限情報とを取得するＧＥＴ  ＤＡＴＡコマンド（取得命令）を生成する。ＧＥＴ  ＤＡＴＡコマンドを生成すると、ＣＰＵ１１は、カードリーダライタ１６を通じて、生成されたＧＥＴ  ＤＡＴＡコマンドをＩＣカード３へ送信する。
【００７１】
ＣＰＵ１１がＧＥＴ  ＤＡＴＡコマンドをＩＣカード３へ送信すると、ＩＣカード３のＣＰＵ２１は、通信部２５を通じてＧＥＴ  ＤＡＴＡコマンドを受信する。ＧＥＴ  ＤＡＴＡコマンドを受信すると、ＣＰＵ２１は、ＧＥＴ  ＤＡＴＡコマンドに対するレスポンスを生成する。
【００７２】
レスポンスを生成すると、ＣＰＵ２１は、選択状態にあるＤＦ（たとえば、ＤＦ１１１）のＥＦ（たとえば、ＥＦ１２１）から優先情報を取得する。ＥＦから優先情報を取得すると、ＣＰＵ２１は、取得された優先情報を、生成されたレスポンスのデータ部にセットする。
【００７３】
優先情報をレスポンスのデータ部にセットすると、ＣＰＵ２１は、選択状態にあるＤＦのＥＦ（たとえば、ＥＦ１２１）から有効期限情報を取得する。ＥＦから有効期限情報を取得すると、ＣＰＵ２１は、取得された有効期限情報を、生成されたレスポンスのデータ部にセットする。
【００７４】
有効期限情報をレスポンスのデータ部にセットすると、ＣＰＵ２１は、通信部２５を通じて、レスポンスをＩＣカード処理装置４へ送信する。
【００７５】
ＣＰＵ２１がレスポンスをＩＣカード処理装置４へ送信すると、ＩＣカード処理装置４のＣＰＵ１１は、カードリーダライタ１６を通じて、レスポンスを受信する。レスポンスを受信すると、ＣＰＵ１１は、受信されたレスポンスのデータ部が格納する優先情報及び有効期限情報に基づいて、ＩＣカード３のユーザが優先スペースを利用することができるかを判定する。
【００７６】
即ち、ＣＰＵ１１は、データ部が格納する優先情報が、ユーザが優先スペースを利用することができることを示すかを判定する。データ部が格納する優先情報が、ユーザが優先スペースを利用することができることを示すと判定すると、ＣＰＵ１１は、有効期限情報が示す有効期限が未超過であるか判定する。有効期限情報が示す有効期限が未超過であると判定すると、ＣＰＵ１１は、ＩＣカード３のユーザが優先スペースを利用することができると判定する。
【００７７】
データ部が格納する優先情報が、ユーザが優先スペースを利用することができないことを示すと判定した場合、又は、有効期限情報が示す有効期限を超過していると判定した場合、ＣＰＵ１１は、ＩＣカード３のユーザが優先スペースを利用することができないと判定する。
【００７８】
上記の通り、ここでは、優先情報は、ユーザが優先スペースを利用することができることを示し、有効期限情報は、未超過の有効期限を示す。したがって、ＣＰＵ１１は、ユーザが優先スペースを利用することができると判定する。
【００７９】
ＩＣカード３のユーザが優先スペースを利用することができると判定すると、ＣＰＵ１１は、通信インターフェース１５を通じて、制御部５に、制御信号として、優先スペースのロックを解除するロック解除命令を制御部５へ送信する。即ち、ＣＰＵ１１は、通信インターフェース１５を通じて、進入防止板の姿勢を寝かせる命令を制御部５へ送信する。
【００８０】
なお、この時、ＣＰＵ１１は、表示部１７に、駐車可能であることを示すマーク又は文字などを表示してもよい。
【００８１】
ＣＰＵ１１がロック解除命令を制御部５へ送信すると、制御部５は、ロック解除命令を受信する。ロック解除命令を受信すると、制御部５は、進入防止板を寝かせるように、アクチュエータ６を制御する。アクチュエータ６は、制御部５の制御に従って、進入防止板を寝かせる。
【００８２】
進入防止板が寝ると、ユーザは、優先スペースに車両を駐車する。ユーザが優先スペースに車両を駐車すると、駐車制御システム１は、動作を終了する。
【００８３】
また、ＩＣカード３のユーザが優先スペースを利用することができないと判定すると、ＣＰＵ２１は、通信インターフェース１５を通じて、制御部５に、制御信号として、ロックを維持する維持命令を送信する。即ち、ＣＰＵ１１は、通信インターフェース１５を通じて、進入防止板の姿勢を立った状態に維持させる維持命令を制御部５へ送信する。ＣＰＵ２１が維持命令を制御部５へ送信すると、制御部５は、維持命令を受信する。維持命令を受信すると、制御部５は、アクチュエータ６を立った状態に維持するように制御する。
【００８４】
なお、ＣＰＵ２１は、命令を制御部５に送信しなくともよい。
【００８５】
また、この時、ＣＰＵ１１は、表示部１７に、駐車不可であることを示すマーク又は文字列などを表示してもよい。
【００８６】
アクチュエータ６が進入防止板を立った状態に維持すると、駐車制御システム１は、動作を終了する。
【００８７】
なお、ＩＣカード処理装置４のＣＰＵ１１は、優先情報を取得するＧＥＴ  ＤＡＴＡコマンドと、有効期限情報を取得するＧＥＴ  ＤＡＴＡコマンドと、をＩＣカード３へ送信してもよい。
【００８８】
また、ＩＣカード３のＣＰＵ２１は、優先情報及び有効期限情報を取得してから、優先情報及び有効期限情報を含むレスポンスを生成してもよい。
【００８９】
以上のように構成される駐車制御システムは、ＩＣカードが格納する優先情報及び有効期限情報に基づいて、優先スペースに駐車する車両を制御することができる。その結果、駐車制御システムは、適切に優先スペースを利用することができる。
【００９０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００９１】
１・・・駐車制御システム、２・・・駐車制御装置、３・・・ＩＣカード、４・・・ＩＣカード処理装置、５・・・制御部、６・・・アクチュエータ、１１・・・ＣＰＵ（送信処理部、第２送信処理部、受信処理部、第２受信処理部、判定部、信号送信部）、１５・・・通信インターフェース、１６・・・カードリーダライタ（通信部、第２通信部）、１７・・・表示部、２１・・・ＣＰＵ（送信処理部、第１送信処理部、受信処理部、第１受信処理部）、２４・・・不揮発性メモリ、２４ａ・・・記憶領域（第１記憶領域）、２４ｂ・・・記憶領域（第２記憶領域）、２５・・・通信部、Ｍ・・・モジュール、Ｃ・・・本体。
【図１】
2015166987.tif 000003
【図２】
2015166987.tif 000004
【図３】
2015166987.tif 000005
【図４】
2015166987.tif 000006
【図５】
2015166987.tif 000007